(57)【特許請求の範囲】
【請求項１】
上面の長手方向に光ファイバを収納する溝部を有する基盤と、その基盤上に一辺をヒンジ結合により開閉自在に枢着された上蓋とからなり、前記基盤の溝部に配置された光ファイバを上蓋で押圧して基盤に保持する光ファイバホルダにおいて、前記基盤の上蓋が枢着されていない側の側面に設けられた凹部内に、弾性体とその弾力が付与され上蓋との当接面に面取り加工又はＲ加工が施されている係止片とを有する作動腕が回動可能に枢着されており、前記作動腕を回動して係止片を基盤の上蓋が枢着されていない側の側面から上蓋に係合することにより、上蓋を基盤に押圧固定してなることを特徴とする光ファイバホルダ。
【発明の詳細な説明】
【０００１】
【発明の属する技術分野】
本発明は、光ファイバを接続する作業に使用する光ファイバホルダに関するものである。
【０００２】
【従来の技術】
一般に、光ファイバホルダとして、図２に示すようなものが使用されている。この光ファイバホルダは、基盤１の長手方向に、被覆部１０ａを設けた光ファイバ１０の幅寸法より僅かに大きい幅の溝部１ａを備え、その基盤１に枢軸２ａにより開閉可能に上蓋２が取り付けられており、その上蓋２が開閉する側の基盤１上面に永久磁石７が埋設されているものである。他にも特許文献１の第９図や第１１図には、基盤と上蓋とが蝶番等の枢軸により開閉可能に構成された多心光ファイバの固定治具が記載されている。また、特許文献２の第５図に記載の留め金３７は、蓋体押さえ部３１で蓋体２２を確実に押さえることが、第２頁右下欄第１４−１６行に記載されている。さらに、特許文献３の第１−３図には、蝶ナットの螺着によって該蝶ナットの付け根にある環状部品を付勢し、該環状部品をパネルに係合することにより、該パネルを筐体本体に押圧固定するパネル取付構造が記載されている。
特許文献１：実願昭５９−１８６６４２号（実開昭６１−１０１７０７号）のマイクロフィルム
特許文献２：特開昭６１−２７８８０４号公報
特許文献３：実願昭６１−１２８９１６号（実開昭６３−３６０８８号）のマイクロフィルム
【０００３】
【発明が解決しようとする課題】
しかしながら、前記の光ファイバホルダでは、永久磁石７の引き付け力で上蓋２を基盤１に引き付けることにより、基盤１の溝部１ａ内に位置する光ファイバ１０の被覆部１０ａを上蓋２の下面で押圧して保持するようにしているため、光ファイバ１０の心数が変わったり、被覆部１０ａの厚さ寸法が変化した場合、その保持力が大幅に低下し、光ファイバ接続作業で被覆部１０ａを引き抜いて除去する際に、光ファイバホルダから光ファイバ１０が抜けてしまう不具合が生じる。
【０００４】
本発明は、以上のような従来の光ファイバホルダの問題点を解決し、光ファイバを安定して保持でき、かつ作業性に優れた光ファイバホルダを提供することを目的とする。
【０００５】
【課題を解決するための手段】
本願発明に係る光ファイバホルダは、上面の長手方向に光ファイバを収納する溝部を有する基盤と、その基盤上に一辺をヒンジ結合により開閉自在に枢着された上蓋とからなり、前記基盤の溝部に配置された光ファイバを上蓋で押圧して基盤に保持する光ファイバホルダにおいて、前記基盤の上蓋が枢着されていない側の側面に設けられた凹部内に、弾性体とその弾力が付与され上蓋との当接面に面取り加工又はＲ加工が施されている係止片とを有する作動腕が回動可能に枢着されており、前記作動腕を回動して係止片を基盤の上蓋が枢着されていない側の側面から上蓋に係合することにより、上蓋を基盤に押圧固定してなることを特徴とする。
【０００６】
本発明の光ファイバホルダによれば、基盤の上蓋が枢着されていない側の側面に設けられた凹部内に、弾性体とその弾力が付与され上蓋との当接面に面取り加工又はＲ加工が施されている係止片を有する作動腕が回動可能に枢着されており、前記作動腕を回動してその係止片を基盤の上蓋が枢着されていない側の側面から上蓋に係合することにより、上蓋を基盤に押圧固定してなるので、光ファイバの被覆部の厚さ寸法にかかわらず、その弾性体の弾力を作用させて光ファイバを十分な保持力で保持することができる。
【０００７】
【発明の実施の形態】
本願発明に係る光ファイバホルダは、基盤と上蓋と作動腕とからなる。基盤は、その上面のほぼ中央長手方向に一側から他側に亘って溝部が設けてあり、その溝部は、被覆部が設けられた光ファイバを収納してその幅方向の位置を規制する幅寸法を有している。上蓋は、その一辺をヒンジ結合により基盤上に開閉自在に枢着されている。作動腕は、例えば、基盤の上蓋が開閉する側に、その一端が回動可能に枢着されており、その他端側には弾性体と、係止片とが取り付けられている。その係止片は、作動腕を回動した際に、前記弾性体から弾力が付与された状態で前記上蓋に係合するようになっている。以上のような構成からなる光ファイバホルダは、前記基盤の溝部に配置された光ファイバの上面に上蓋の下面を当接させ、その上蓋に作動腕の係止片を係合して弾性体から付与された弾力により上蓋を基盤に押圧固定して光ファイバを十分な保持力で保持するものである。
【０００８】
基盤としては、金属製及び樹脂製の材料が使用可能であり、特に、作業台上で安定して載置できるように一定の重さを有し、錆を生じ難いステンレス鋼やアルミ合金などの軽金属合金などが好ましい。基盤の上面のほぼ中央の長手方向に設けられる溝部としては、被覆部を設けた光ファイバを収納してその位置に固定できる幅寸法を有するものであればよい。また、その溝部の深さ寸法は、例えば、光ファイバの被覆部の厚さ寸法よりも浅く、被覆部の上面を十分押圧できる程度に露出する寸法であることが好ましい。
【０００９】
上蓋としては、基盤と同様な材料からなり、その一辺をヒンジ結合、または蝶番等を用いて基盤上面に開閉自在に枢着してある。上蓋の光ファイバと当接する下面には、凹凸やゴム板などを設けて、光ファイバ被覆部の寸法によらず光ファイバとの摩擦力が大きくなるようにされていることが好ましい。
【００１０】
作動腕としては、金属製または樹脂製の材料からなり、その係止片が上蓋に係合する際に懸かる弾性体の弾力に対して不要な伸び、及び撓み、塑性変形などを起こさない材料が適しており、錆を生じ難いステンレス鋼やアルミ合金などの軽金属合金が好ましい。この作動腕に取り付けられる弾性体としては、ステンレス合金等からなる金属製のバネ鋼、弾性を有する高分子材料、またはそれらを複合した材料などが使用可能である。その形状は、板バネを加工して作動腕を挿通する孔を設けたもの、コイルバネなど種々の形状が使用できる。この弾性体が設けられる位置としては、作動腕の上部で光ファイバの着脱作業に支障を来さない位置であればよい。係止片は、耐摩耗性に優れた金属材料または摩擦係数の小さい滑りのよい樹脂材料等からなり、作動腕を回動した際、上蓋に滑らかに係止できる形状であればよく、作動腕を挿通する孔を設けたリング状のもの作動腕を包持する形状を有するものなど種々の形状が使用できる。この係止片の上蓋との当接面には、使用の際にスムーズに動作するように面取り加工やＲ加工が施されていることが好ましい。この係止片が設けられる位置としては、作動腕の上部で、弾性体に固着または当接しており、作動腕を回動した際に、その弾性体が変形することにより上蓋に係合可能な位置であればよい。
【００１１】
図１は、本発明に係る光ファイバホルダの説明図であって、（Ａ）は斜視図を（Ｂ）は側面図を、（Ｃ）は光ファイバを保持した斜視図を示している。これらの図中の１は基盤を、２は上蓋を、３は作動腕をそれぞれ示している。尚、図２中の記載と同一部分については同一符号を付して示した。
【００１２】
本発明の光ファイバホルダは、図１（Ａ）に示すように、基盤１は、ステンレス鋼からなり、長さ５０ｍｍ、幅１６ｍｍ、高さ６ｍｍの寸法を有し、基盤１の上面の中央の長手方向には、例えば、幅１．０ｍｍ、厚さ０．３０ｍｍの被覆部１０ａが付いた光ファイバ１０を収納するための幅１．１ｍｍ、深さ０．２０ｍｍの溝部１ａが設けてある。この基盤１の上蓋２の開閉する側に設けられた凹部１ｂ内に、作動腕３が枢軸３ｅにより回動可能に枢着されている。また、基盤１上面の上蓋２で覆われない約２０ｍｍの露出部分１ｃは、光ファイバ１０を溝部１ａに収納する際に、上蓋２で光ファイバ１０を押圧して保持するまでの間に指で光ファイバ１０を押さえて仮保持するために設けた部分である。
【００１３】
上蓋２は、ステンレス鋼からなり長さが基盤よりも２０ｍｍ程度短く、基盤１の一辺に枢軸２ａでヒンジ結合されて開閉自在に枢着されている。光ファイバ１０の被覆部１０ａ上面に当接する上蓋２の下面にはゴム板２ｂが固着してある。上蓋２の開閉する側には、作動腕３が係合する位置にコの字形に切り欠かれた係合部２ｃが設けてあり、後述の係止片３ｃとの当接部には傾斜部２ｄが設けてある。
【００１４】
作動腕３は、ステンレス鋼からなり、図１（Ｂ）に示すように、頭部３ａの下方にステンレスバネ鋼からなるコイル状の弾性体３ｂが変形自在に巻装されている。この弾性体３ｂの下方に接し、リング状をした係止片３ｃが作動腕３に沿って摺動可能に取り付けられており、図示しないストッパで所定位置より下がらないようになっている。この係止片３ｃの下面には、係合部２ｃの傾斜部２ｄに対応して、Ｒ加工部３ｄが設けてある。この作動腕３は、枢軸３ｅを中心に回動して係止片３ｃのＲ加工部３ｄを上蓋２の係合部２ｃに設けられた傾斜部２ｄに当接し、更に回動して弾性体３ｂが変形して係止片３ｃに弾力が付与された状態で係合部２ｃに係合し、上蓋２を基盤１に係止して十分な押圧力を発生して光ファイバを安定保持する構成になっている。この作動腕３の弾性体３ｂの太さや弾性係数を変えることにより弾力を変化させて上蓋の押圧力を調整できるので、十分な保持力で光ファイバを保持できる。
【００１５】
上記の光ファイバホルダを使用して光ファイバ１０を保持する場合を説明する。先ず、図１（Ｂ）の破線で示すように、上蓋２を開いて基盤１の上面の溝部１ａを露出させておき、光ファイバ１０を基盤１から所定の長さ、例えば、２０ｍｍだけ突き出す状態で溝部１ａに嵌入する。この光ファイバ１０を溝部１ａに収納する際に、基盤１上面の上蓋２で覆われない約２０ｍｍの露出部分１ｃで、指で光ファイバ１０を押さえて仮保持する。次に、嵌入された光ファイバ１０の溝部１ａから０．１ｍｍだけ上に出ている被覆部１０ａの上面に、上蓋２を閉じてその下面のゴム板２ｂを当接させる。次いで、作動腕３を回動させて係止片３ｃのＲ加工部３ｄを上蓋２の係合部２ｃの傾斜部２ｄに当接させ、更に弾性体３ｂを変形させながら回動させて係合させ図１（Ｂ）に実線で示す係止した状態にする。この一連の操作により、弾性体３ｂが変形して係止片３ｃに付与された弾力が基盤１に上蓋２を閉じる方向に作用して光ファイバ１０を押圧して保持できる。
【００１６】
図１（Ｃ）に、光ファイバ１０を保持した状態の光ファイバホルダを示す。この光ファイバホルダを使用して、通常の光ファイバよりも被覆部１０ａの厚さ寸法が０．１ｍｍ程度小さい４心のテープ状光ファイバ１０を保持し、光ファイバホルダから２０ｍｍ突出した被覆部１０ａを２つの刃物状のツールで挟持して引き抜くことにより長さ１７ｍｍの被覆部１０ａを除去した場合、光ファイバ１０が抜けてしまうような不具合は全く生じなかった。
【００１８】
【発明の効果】
本発明の光ファイバホルダによれば、光ファイバの被覆部の厚さ寸法にかかわらず、安定して光ファイバを保持することができるので、確実な光ファイバ接続作業が可能となる実用上優れた効果を奏するものである。
【図面の簡単な説明】
【図１】本発明の光ファイバホルダの説明図であって、（Ａ）は上蓋を開いた斜視図を（Ｂ）は側面図を、（Ｃ）は光ファイバを保持した斜視図
【図２】従来の光ファイバホルダの説明図であって、（Ａ）は上蓋を開いた平面図、（Ｂ）は要部断面図
【符号の説明】
１  基盤
１ａ  溝部
２  上蓋
２ａ  枢軸
２ｂ  ゴム板
２ｃ  係合部
３  作動腕
３ａ  頭部
３ｂ  弾性体
３ｃ  係止片
７  永久磁石
１０  光ファイバ
１０ａ  被覆部
【図１】
0003821172.tif 000002
【図２】
0003821172.tif 000003